(57)【特許請求の範囲】
【請求項１】
建築構造物の基盤上に構築される緑化構造物であって、
前記基盤上に敷設された水不透過性の遮水防根シートと、
該遮水防根シートの上に積重され、給水管を内部に設けずに、合成樹脂繊維を絡み合わせて成形した空隙率の高い立体網状の７５０〜２５００デニールの合成樹脂繊維マットからなり、水を前記遮水防根シートの表面に沿って排出させる排水層と、
前記排水層の上面に積重された、樹脂繊維を立体的に交絡した１０〜１００デニールの立体構造体マットからなり水を保持する保水層と、
下端を前記遮水防根シートに当接して上端開口を有孔蓋で覆う濾過筒とを具え、
前記濾過筒は、前記排水層と同一の素材マットを円筒状に巻上げて成形したものであることを特徴とする緑化植物からなる緑化構造物。
【請求項２】
建築構造物の基盤上に構築される緑化構造物であって、
前記基盤上に敷設された水不透過性の遮水防根シートと、
該遮水防根シートの上に積重され、給水管を内部に設けずに、合成樹脂繊維を絡み合わせて成形した空隙率の高い立体網状の７５０〜２５００デニールの合成樹脂繊維マットからなり、水を前記遮水防根シートの表面に沿って排出させる排水層と、
前記排水層の上面に積重された、樹脂繊維を立体的に交絡した１０〜１００デニールの立体構造体マットからなり水を保持する保水層と、
前記保水層表面に植生された緑化植物と、
下端を前記遮水防根シートに当接して上端開口を有孔蓋で覆う濾過筒とを具え、
前記濾過筒は、前記排水層と同一の素材マットを円筒状に巻上げて成形したものであることを特徴とする緑化植物からなる緑化構造物。
【請求項３】
前記保水層は樹脂繊維を立体的に交絡して厚さが１０〜３０ｍｍで且つ１０〜５０デニールで且つ該保水層の上面に客土を存在させたことを特徴とする請求項１若しくは２記載の緑化植物からなる緑化構造物。
【発明の詳細な説明】
【０００１】
【発明の属する技術分野】
本発明は、建築構造物の屋上等に植物を生育させるための緑化構造物に関する。
【０００２】
【従来の技術】
近年、建造物の高層化に伴い、都市の景観を配慮した都市造りが議論され、ビル等の屋上やバルコニーに植物を育成し、緑化することが注目されている。ビル等の屋上やバルコニーを緑化することは、単に景観上の問題に止まらず、冷暖房エネルギー節約の観点からも重要なことである。
【０００３】
屋上やバルコニーを緑化する例として、従来図３にその概略を示す緑化システムが知られている。図３中、５００はビル等の建築構造物で、その屋上の基盤面１０２には防水層１０４が形成されている。前記防水層１０４の上面には、多数の凹部１１５を形成した保水排水板１０６が積重されており、この保水排水板１０６はプラスチック製のいわゆる卵パックと形状が似ている。また、前記保水排水板１０６の凹部には、パーライト等の保水助剤１０８が敷詰められている。
【０００４】
保水排水板１０６の上面には客土１１０が積層されており、この客土１１０に植物１１２が植生されている。
【０００５】
１１４は排水管で、１１６は前記排水管の開口を覆う排水管キャップである。前記排水管１１４の上方にはドレインカバー１１８が客土１１０中に埋設されている。このドレインカバー１１８はその上部が密閉された円筒状のステンレススチール製で、その下端にはドレイン孔１２０が形成されており、このドレイン孔１２０を通して雨水等が排水管１１４に流れ込むようになっている。
【０００６】
前記ドレインカバー１１８の下部側外周にはパーライト嚢１２２が巻回されている。このパーライト嚢１２２は、網袋にパーライト１２４が充填されたもので、このパーライト嚢１２２が前記ドレインカバー１１８外周に巻回されることにより、客土１１０から客土がドレイン孔１２０を通って排水管に流失されることを防止している。
【０００７】
上記緑化システムに於いて、雨水、若しくは散布水は客土１１０にしみ込み、その一部は前記保水排水板１０６に形成された凹部中に貯留され、水不足の際に植物１１２に水を補給するものである。また、前記客土１１０中にしみ込んだ雨水等のうち余剰水は保水排水板１０６の上部表面に形成された排水孔（不図示）を通って防水層１０４の上面に落ち、保水排水板１０６の凹部１１５間を通ってドレイン孔１２０に達し、その後排水管１１４に流れ込むものである。
【０００８】
上記のように構成された緑化システムにおいては、ドレインカバー１１８はステンレススチール製であるので、余剰水はドレインカバー１１８の上面や側面を通して排出できず、全ての余剰水は客土を浸透してドレインカバー１１８の最下部のドレイン孔１２０から排出される。このため、余剰水の排水は迅速に行われず、長時間を必要とする問題がある。また、客土１１０中の酸素は客土１１０の表面から自然に拡散されるものだけであるので、迅速且つ充分の酸素供給に問題がある。更に、ドレインカバー１１８の下部外周にはパーライト嚢１２２を巻回してあるが、この場合は土壌の排水管への流出を完全に防止することが困難である等の問題がある。
【０００９】
【発明が解決しようとする課題】
本発明者等は上記問題を解決するために種々検討した結果、特定のデニールの合成樹脂繊維不織構造体マットを利用すると、上記問題が解決できることを知得し、本発明を完成するに至ったものである。従って、本発明の目的とするところは、上記問題を解決した、緑化構造物を提供することにある。
【００１０】
【課題を解決するための手段】
上記目的を達成する本発明は以下に記載するものである。
【００１１】
請求項１記載の発明は、建築構造物の基盤上に構築される緑化構造物であって、
前記基盤上に敷設された水不透過性の遮水防根シートと、
該遮水防根シートの上に積重され、給水管を内部に設けずに、合成樹脂繊維を絡み合わせて成形した空隙率の高い立体網状の７５０〜２５００デニールの合成樹脂繊維マットからなり、水を前記遮水防根シートの表面に沿って排出させる排水層と、
前記排水層の上面に積重された、樹脂繊維を立体的に交絡した１０〜１００デニールの立体構造体マットからなり水を保持する保水層と、
下端を前記遮水防根シートに当接して上端開口を有孔蓋で覆う濾過筒とを具え、
前記濾過筒は、前記排水層と同一の素材マットを円筒状に巻上げて成形したものであることを特徴とする緑化植物からなる緑化構造物を提案する。
【００１２】
請求項２記載の発明は、建築構造物の基盤上に構築される緑化構造物であって、
前記基盤上に敷設された水不透過性の遮水防根シートと、
該遮水防根シートの上に積重され、給水管を内部に設けずに、合成樹脂繊維を絡み合わせて成形した空隙率の高い立体網状の７５０〜２５００デニールの合成樹脂繊維マットからなり、水を前記遮水防根シートの表面に沿って排出させる排水層と、
前記排水層の上面に積重された、樹脂繊維を立体的に交絡した１０〜１００デニールの立体構造体マットからなり水を保持する保水層と、
前記保水層表面に植生された緑化植物と、
下端を前記遮水防根シートに当接して上端開口を有孔蓋で覆う濾過筒とを具え、
前記濾過筒は、前記排水層と同一の素材マットを円筒状に巻上げて成形したものであることを特徴とする緑化植物からなる緑化構造物を提案する。
【００１３】
請求項３記載の発明は、前記保水層は樹脂繊維を立体的に交絡して厚さが１０〜３０ｍｍで且つ１０〜５０デニールで且つ該保水層の上面に客土を存在させたことを特徴とする請求項１若しくは２記載の緑化植物からなる緑化構造物を提案する。
【００１４】
以下、図面を参照しながら、本発明を詳細に説明する。
【００１５】
【発明の実施の形態】
図１は、本発明の緑化構造物の一例を示すものである。図１中、１００はビル等の建築構造物で、その屋上の基盤面２には遮水防根シート４を敷設してある。遮水防根シート４は、雨水等がビル等の屋上からビル内に漏水することを防止すると共に、植物の根が屋上のコンクリートの破損部に侵入して、破損を更に増大させることを防止するものである。従って、遮水防根シートは前記機能を有するものであれば何れのものでも良いが、具体的には、ポリ塩化ビニルシート、ゴムシート、ポリオレフィンシート等が好ましい。シートの厚さは特に限定されないが、強度、取扱の容易さ、重量等を勘案すると、０．５〜２ｍｍ程度のものが好ましい。
【００１６】
前記遮水防根シート４の所定箇所には排水孔６が形成してあり、後述するように余剰水がこの排水孔６を通って排水管８に流出するようになっている。なお、１０は排水管８の上方に配設した排水管キャップである。
【００１７】
前記遮水防根シート４の上面には、排水層１２を積重してある。排水層１２は、合成樹脂繊維を絡み合わせて成形した空隙率の高い立体網状の不織構造体のマットで構成してある。合成樹脂繊維としては、ポリエチレン、ポリプロピレン等のポリオレフィン、ナイロン、ポリ塩化ビニル等の各種の樹脂の繊維を利用できる。
【００１８】
排水層１２として特に好ましい不織構造体マットとしては、比較的太いポリプロピレン繊維の表面をポリプロピレン繊維よりも融点の低いポリエチレンで被覆した複合ポリオレフィン繊維を立体的に交絡し、その交絡点で繊維同士を熱融着したマット（商品名  ＣＰマット  チッソ株式会社製）が、強度、耐久性、排水性の点で好ましいものである。不織構造体マットを構成する合成樹脂繊維は、７５０〜２５００デニールのものが好ましく、特に１５００〜２５００デニールのものが望ましい。排水層１２の厚さは強度、及び排水性の観点から、１０〜５０ｍｍとすることが好ましい。
【００１９】
前記排水層１２の上面には保水層１４が積重してある。保水層１４は前記排水層１２と同様の、合成樹脂繊維を絡み合わせて成形した空隙率の高い立体網状の不織構造体のマットで構成してある。合成樹脂繊維としては、ポリエチレン、ポリプロピレン等のポリオレフィン、ナイロン、ポリ塩化ビニル等の各種の樹脂の繊維を利用できる。
【００２０】
保水層１４として特に好ましい不織構造体マットとしては、比較的太いポリプロピレン繊維の表面をポリプロピレン繊維よりも融点の低いポリエチレンで被覆した複合ポリオレフィン繊維を立体的に交絡し、その交絡点で繊維同士を熱融着したマット（商品名  ＣＰマット  チッソ株式会社製）が、強度、耐久性、保水性の点で好ましいものである。不織構造体マットを構成する合成樹脂繊維は、１００デニール以下のものが好ましく、特に１０〜５０デニールのものが望ましい。保水層１４の厚さは、１０〜３０ｍｍとすることが植物の生育の観点から好ましい。
【００２１】
次に、上記緑化構造物を用いて植物を生育する場合につき、説明する。
【００２２】
保水層１４表面近傍で発芽し、若しくは植生された植物１６は、保水層１４中に含浸された水を吸収して生育する。雨水、または水散布装置（不図示）により供給された水は保水層１４に含浸され、所定量が保持される。供給される水が保水層１４の保水能力を超える場合、保水能力を超える余剰水は排水層１２に流下し、遮水防根シート４表面方向に沿って排水層１２中を移動して排水孔６に集り、排水管８に流れ込む。
【００２３】
保水層１４は植物１６の生育に適当な水分を常に保持でき、必要量を超える余剰水は迅速に排水層１２により排除されるので、植物の根が腐る等の問題は生じない。また、上記構成の緑化構造物は極めて軽量に構成できるので、建築構造物に対する重量負担が少ない。更に、上記緑化構造物はマット状のものであるので、搬入時には簡単に移動でき、また施工も簡単なものである。
【００２４】
図２は、本発明の緑化構造物の他の例を示すものである。図２中、２００はビル等の建築構造物で、その屋上の基盤面３２には遮水防根シート３４を敷設してある。前記遮水防根シート３４の上面には、順次排水層３６、保水層３８が積重してある。これら、遮水防根シート３４、排水層３６、保水層３８は、前記図１のそれぞれ対応する構成と同一であるので、その説明を省略する。
【００２５】
前記保水層３８の上面には、客土４０が積層してある。客土４０には、通常の土壌、軽量人工土壌等を用いる。客土４０の厚さは、制限がないが、建築物の重量負荷を考慮すると、通常１２００ｍｍ以下にすることが好ましい。この程度の客土の厚さで、通常の樹木は育成できる。なお、４２は前記客土４０に植えた植物である。
【００２６】
４４はドレインカバーで、濾過筒４６と、その上端開口を覆う有孔蓋４８とからなる。前記ドレインカバー４４は、濾過筒４６の下端を遮水防根シート３４に当接して客土４０中に埋設してある。前記ドレインカバー４４内には、排水管５０が設けてある。なお、５２は排水管５０の上部開口端を覆う排水管キャップである。
【００２７】
濾過筒４６は、前記保水層３８、排水層３６と同一の素材マットを円筒状に巻上げて成形したもので、具体的にはＣＰドレーン（商品名  チッソ株式会社製）が特に好ましいものとして例示できる。マットに用いられる合成樹脂繊維は５０〜１００デニールのものが好ましく、特に６０〜７０デニールのものが望ましい。
【００２８】
客土４０、保水層３８、排水層３６中の余剰水は、前記濾過筒４６の全表面から濾過筒壁を透過して濾過筒内部に入り、排水管５０内に流入する。これにより、客土４０、保水層３８中には常に適度の水を保持できるようになっている。一方、客土中の土壌は濾過筒４６により濾過されるので、濾過筒４６内に侵入できず、このため余剰水の排出に伴う土壌の流出は確実に防止できる。また、有孔蓋４８に設けられた空気孔５４から濾過筒４６内に空気が供給され、更にこの空気は客土４０、保水層３８、排水層３６に濾過筒壁を通して充分供給される。
【００２９】
６０は補助濾過筒で、その下端を保水層３８に当接させて客土４０中に埋設してある。補助濾過筒６０は、形状が前記濾過筒４６よりも小さい以外は濾過筒４６と同一のものである。この補助濾過筒６０は客土４０の表面水の排除、客土４０中の余剰水の排除、及び客土４０中に空気を供給する役目を持つ。なお、６２は補助濾過筒６０の上端開口を覆う有孔蓋である。
【００３０】
６４は、開口部濾過筒で、建築構造物２００の側壁６６に沿って複数の開口部濾過筒６４が設置してある。前記濾過筒６４は客土４０、保水槽３８、排水層３６を貫通し、その下端開口部は遮水防根シート３４に当接している。また、前記開口部濾過筒６４と側壁６６との間には排水層６８が介装してある。排水層６８を介装する事により、側壁６６近傍の排水を容易にするものである。
【００３１】
前記開口部濾過筒６４は、形状が前記濾過筒４６よりも小さい以外は濾過筒４６と同一のものである。開口部濾過筒６０は客土４０の表面水の受入れ、客土４０、保水層３８中の余剰水の排除、及びこれら各層に空気を供給する役目を持つ。なお、７０は開口部濾過筒６４の上端開口部に嵌入させた有孔蓋である。
【００３２】
上記構成の緑化構造物のその他の作用は、前記緑化構造物の一例に記載したことと同様である。
【００３３】
上記他の例に於いては、客土を設けると共に、各種濾過筒を客土に埋設したので、土壌を流失することなく余剰水を排出することができ、更に客土に空気を充分供給でき、このため植物の生育に好影響を与える。更に、建築構造物の側壁に沿って、排水層を形成したので、側壁近傍の排水が迅速に行え、側壁からの漏水を防止する。
【００３４】
本発明は上記例に限られず、濾過筒の数、配置場所等を変更しても良く、その他本発明の要旨を変更しない限り各種変形を加えても差支えない。
【００３５】
【発明の効果】
本発明に於いては、所定量の水を保持する保水層と、余剰水を迅速に除去する排水層を有するので、植物の生育に適したものである。また、これらの各層は所定のマットで形成してあるので、軽量で、このため建築構造物の重量負担を軽減する。更に、遮水防根層、排水層、保水層は何れも可撓性のあるシート、またはマット状であるので、巻回して搬送することが容易で、施工が簡単になる。また更に、保水層の上に客土を設ける場合は、各種濾過筒を取付けることができるが、この濾過筒はマットで形成してあるので、濾過筒の全表面から迅速に余剰水及び空気を通過させることができると共に、土壌の流出を確実に防止する等の特徴を有する。
【図面の簡単な説明】
【図１】本発明の構成の一例を示す概略説明図である。
【図２】本発明の構成の他の例を示す概略説明図である。
【図３】従来の緑化システムの構成を示す概略説明図である。
【符号の説明】
２、３２    基盤面
４、３４    遮水防根シート
６    排水孔
１２、３６    排水層
１４、３８    保水層
１６、４２    植物
４０    客土
【図１】
0003810068.tif 000002
【図２】
0003810068.tif 000003
【図３】
0003810068.tif 000004